(57)【要約】      （修正有）【課題】骨折等患部を固定するギプス材に関し、構造がシンプルで、取り扱いが簡便で、様々な患部に対処できるギプス材を提供する。【解決手段】骨折等患部を固定する装具に用いられるギプス材１であって、芯材と芯材を内包する袋を含み、すくなくとも袋の一部表面に一対の構造を有する固定部材の片側を設置する。【選択図】図３
0003233463.tif 000002
【実用新案登録請求の範囲】
【請求項１】
骨折等患部を固定する装具に用いられるギプス材であって、芯材と該芯材を内包する袋を含み、すくなくとも袋の一部表面が固定装具への脱着機能を有する構造を特徴とするギプス材。
【請求項２】
請求項１に記載の芯材は、素材を重ね合わせて一か所乃至複数個所縫合した構造を特徴とするギプス材。
【請求項３】
請求項１又は請求項２のいずれか一項に記載の芯材は、袋に一か所乃至複数個所縫合した構造を特徴とするギプス材。
【請求項４】
請求項１乃至請求項３のいずれか一項に記載の袋は、芯材を挟む二面の生地を芯材の外縁にそって縫合した構造を特徴とするギプス材。
【請求項５】
請求項４に記載の芯材を挟む二面の生地の内すくなくとも一面の生地は、面ファスナーであることを特徴とするギプス材。
【考案の詳細な説明】
【技術分野】
【０００１】      本考案は、整形外科における骨折等患部の固定装具に関し、特に、固定装具に用いられるギプス材に関する。
【背景技術】
【０００２】      先行技術文献にあるように従来の骨折捻挫等の固定において用いられるギプス材には、シート状の熱可塑性固定素材を患部の形状に沿って切断成形し患部に直接貼り付けるギプス材や、板状の水硬化性固定素材を一定の大きさの矩形に成形し、その表裏と外縁部を被覆材で覆い、固定素材と被覆材を接着させた一片のギプス材などが用いられている。これら従来のギプス材は構造が複雑で、取り扱いにも手間がかかる。
【先行技術文献】
【特許文献】
【０００３】
【特許文献１】特開２０１８−１８３４１９号  公報
【特許文献２】特開２０２０−１２４４８７号  公報
【考案の概要】
【考案が解決しようとする課題】
【０００４】      骨折等患部を固定するギプス材に関し、構造がシンプルで、取り扱いが簡便で、様々な患部に対処できるギプス材を提供する。
【課題を解決するための手段】
【０００５】      骨折等患部を固定する装具に用いられるギプス材であって、芯材と該芯材を内包する袋を含み、すくなくとも袋の一部表面が固定装具への脱着機能を有する構造を特徴とするギプス材。
【考案の効果】
【０００６】      本考案のギプス材は、いずれの箇所にも自在に簡単に固定ができる。
本考案では、市販のキャスト材を複数枚重ね合わせて縫合する簡単な構造で要求されるさまざまな強度を満たす芯材を得ることができる。芯材を包む被覆材に縫合することによって、芯材の被覆材に対する位置を固定できる。芯材の縁に沿って同芯材の表裏を挟んだ被覆材を縫合するシンプルな構造によって、ガラス繊維を含む芯材の場合、端面から飛びでたガラス繊維を皮膚から十分隔離できる。また、実施例のように芯材を挟む生地に面ファスナーを用いることによって熱可塑性の固定素材の芯材が冷却の際にその長手方向の収縮を抑えることができる。
【図面の簡単な説明】
【０００７】
【図１】本考案のギプス材の構成部品概略図
【図２】本考案のギプス材の平面図
【図３】Ａ−Ａ断面図
【図４】サポーターの外観図（写真）
【図５】サポーターの装着位置決め図（写真）
【図６】本考案のギプス材をサポーター掌側に設置した図（写真）
【図７】本考案のギプス材をサポーター甲側に設置した図（写真）
【図８】本考案のギプス材をサポーター掌側に固定した図（写真）
【図９】本考案のギプス材をサポーター甲側に固定した図（写真）
【考案を実施するための形態】
【０００８】  従来からギプスの芯材を被覆材で包んだギプス材があったが、本考案では、被覆材の一部分に脱着機能を付加したものである。接着材を塗布することや両面テープなどの接着素材を設置することによって被覆材の一部分に脱着機能を付加することも可能であるが、本実施例では被覆材自身の一部分に面ファスナーを用いている。
また、本実施例では、市販の一種類の板状の熱硬化性の固定素材を複数枚重ね合わせて芯材とし、同芯材の表裏を挟んだ被覆材と芯材をともに縫合し、同芯材の外縁に沿って表裏の被覆材を縫合して芯材を包み込んでいる。
複数の固定素材を重ね合わせて縫合する構造により必要な強度を満たした芯材を得ることができ、芯材を被覆材に縫合することによって芯材の被覆材に対する位置を固定でき、芯材の外縁に沿って表裏の被覆材を縫合して芯材を包み込む構造により、ガラス繊維を含む芯材の場合端面から飛びでたガラス繊維を皮膚から十分隔離できるようにしている。また、被覆材として用いた面ファスナーに固定素材を縫合する構造によって、熱可塑性の固定素材の冷却の際の収縮を抑えている。
【実施例】
【０００９】  以下、添付図面に従って実施例を説明する。
図１は、ギプス材１の構成部品を示す模式図である。符号２は芯材で、熱可塑性の固定素材２１をここでは３枚重ねている。符号３と４は芯材を上下から挟む生地である。
図２は、本考案のギプス材１の平面模式図である。
図３は、図２にあるＡ−Ａ断面である。ここでは、便宜上、符号３はギプス材１の上面側とし、符号４は下面側としている。符号３及び符号４の素材は生地で、芯材２の外縁に沿って縫合して袋としている。符号５はその縫い目を表している。
符号４の生地には面ファスナーを用いている。符号４１はファスナー部である。
符号５１は重ね合わせた熱可塑性固定素材２１と上面３と下面４をともに縫合した縫い目を示す。【００１０】  次に、本実施形態に係る右手首関節患部のサポーターへのギプス材１の固定手順について、図４から図８を参照しながら説明する。【００１１】  図４はサポーターの外観図（写真）である。符号６１は略矩形のサポーター本体で伸縮性、通気性、クッション性を有するポリエステルのダブルラッセル生地を用いている。サポーター本体６１の向かい合う端面二か所を符号６２のゴム紐で連結し、前腕に沿うように筒状にしている。
サポーター本体６１の表側面には起毛されたナイロンパイル生地をほぼ全面に縫合している。
符号６５はサポーター６の装着位置を決めるための面ファスナーである。図５にあるように、サポーター６を手首前腕に装着し、右親指と右人差指の間に位置決め面ファスナー６５を通し、同面ファスナー６５をサポーター本体６１の表側の起毛面に固定し、同サポーター本体６１の経方向の位置を決める。
符号６３は伸縮性のあるサポーター固定バンドでサポーター本体６１に一端を縫合している。固定バンド６３の肢位側表面は起毛されていない生地を用いており、反肢位側表面には起毛された生地を用いている。固定バンド６３の他端の肢位側６４には面ファスナーを設けている。【００１２】  この実施例では、ギプス材１の上面側３に起毛されたナイロンパイル生地を用いたギプス材１１と上面側３に防滑性生地を用いたギプス材１０、２枚のギプス材を用いる。
始めに、２枚のギプス材を約７０度以上のお湯に浸して適度に軟化させる。【００１３】  図６はサポーター本体６１の掌側表面にギプス材１０を設置した図で、ギプス材１０は、ギプス材下面側４の面ファスナー部４１によってサポーター本体６１の表側の起毛されたナイロンパイル生地に固定されている。
図７はサポーター本体６１の手の甲側にギプス材１１を設置した図で、ギプス材１１は、ギプス材下面側４の面ファスナー部４１によってサポーター本体６１の表面の起毛されたナイロンパイル生地に固定されている。
手の甲側と掌側にこのように設置されたギプス材１０及び１１を良肢位に医師が保持し、同ギプス材を良肢位形状に成形する。成形完了後、サポーター本体６１上に設置されたギプス材の位置を維持し、固定バンド６３をギプス材の上から適度に締めならが、螺旋状に経方向に巻き上げ、固定バンド６３の一端の面ファスナー６４をサポーター本体６１のフレンチパイル表面と固定バンド６３自身の起毛表面６６に固定する。
図８と図９は、本実施形態に係る固定装具の装着状態を示す写真である。
【符号の説明】
【００１４】１    ギプス材
２    芯材
２１  熱可塑性の固定素材
３    ギプス材（袋）の上面側
４    ギプス材（袋）の下面側
４１  面ファスナー部
５、５１    縫い目
６    サポーター
６１  サポーター本体
６２  連結ゴム紐
６３  サポーター固定バンド
６４  面ファスナー
６５  位置決め面ファスナー
１０  袋の上面側に防滑性生地を用いたギプス材
１１  袋の上面側に起毛させたナイロンパイル生地を用いたギプス材
【図１】
0003233463.tif 000003
【図２】
0003233463.tif 000004
【図３】
0003233463.tif 000005
【図４】
0003233463.tif 000006
【図５】
0003233463.tif 000007
【図６】
0003233463.tif 000008
【図７】
0003233463.tif 000009
【図８】
0003233463.tif 000010
【図９】
0003233463.tif 000011
【手続補正書】
【提出日】令和3年4月27日(2021.4.27)
【手続補正１】
【補正対象書類名】実用新案登録請求の範囲
【補正対象項目名】全文
【補正方法】変更
【補正の内容】
【実用新案登録請求の範囲】
【請求項１】
骨折等患部を固定する装具に用いられるギプス材であって、芯材と該芯材を内包する袋を含み、該袋の表面の少なくとも一部に一対の構造を有する固定部材の片側を設置する構造を特徴とするギプス材。
【請求項２】
請求項１に記載の芯材は、素材を重ね合わせて一か所乃至複数個所縫合された構造を特徴とするギプス材。
【請求項３】
請求項１又は請求項２のいずれか一項に記載の芯材は、袋及び袋の表面の少なくとも一部に設置された一対の構造を有する固定部材に一か所乃至複数個所縫合された構造を特徴とするギプス材。
【請求項４】
請求項１項〜請求項３のいずれか一項に記載の袋は、芯材を挟む二面の生地が芯材の外縁にそって縫合された構造を特徴とするギプス材。
【請求項５】
請求項１〜請求項４のいずれか一項に記載の袋において、芯材を挟む二面の片面の全てが面ファスナーであることを特徴とするギプス材。